(57)【要約】      （修正有）【課題】取り付け取り外しが簡便で、しかも切断用治具を軒樋にしっかりと取り付けることができて、軒樋の長さ方向に対して斜め切れを防止可能で、軒樋の切断端面をぴったりと突き合わせて美観に優れた施工ができ、更に、電動丸鋸やチェーンソウなどを使用する際にも好適に用いられる軒樋切断治具を提供する。【解決手段】軒樋２を切断する際に軒樋２の外周面に嵌合されて用いられる軒樋切断治具１であって、軒樋２の外周面に嵌合する本体部１１があり、この本体部１１の両上端には軒樋２の両耳部を把持する一対の耳把持部１２，１３が設けられ、少なくとも一方の耳把持部１２，１３は軒樋２の耳部２２，２３を把持した状態で、この耳部２２，２３と弾性クリップ具により挟持される。【選択図】  図１
2005324412.tif 000002
【特許請求の範囲】
【請求項１】
軒樋を切断する際に軒樋の外周面に嵌合されて用いられる軒樋切断治具であって、軒樋の外周面に嵌合する本体部があり、この本体部の両上端には軒樋の両耳部を把持する一対の耳把持部が設けられ、少なくとも一方の耳把持部は軒樋の耳部を把持した状態で、この耳部と弾性クリップ具により挟持されることを特徴とする軒樋切断治具。
【請求項２】
上記少なくとも一方の軒樋耳部は上端縁に沿って内外方に突出条が形成され、前記耳把持部にはこの外方への突出条が嵌まり合う凹溝が上端縁に沿って形成されることにより、前記耳把持部上端縁に沿って外方への突出条が形成されており、耳把持部の凹溝に軒樋耳部の外方突出条を嵌め合わせて把持した状態で、前記軒樋耳部の内方突出条と前記耳把持部の外方への突出条とが弾性クリップ具で挟持される請求項１記載の軒樋切断治具。
【請求項３】
前記本体部の一方の側縁外方に沿って鍔片が形成され、この鍔片の少なくとも一方の端部が耳把持部の軒樋内方まで延長されている請求項１または２記載の軒樋切断治具。
【発明の詳細な説明】
【技術分野】
【０００１】
本発明は、鋸や電動丸鋸、チェーンソウなどを用いて軒樋を切断する際に用いられる軒樋切断治具に関する。
【背景技術】
【０００２】
従来、軒樋は施工現場において所望の長さに切断されて用いられるが、一般に材料の剛性が小さく肉厚も薄いため、軒樋が揺れ動き易く切断し難いものであった。また、切断面が長さ方向に対して斜め切れになり易いものであった。斜め切れすると、特に、軒樋の継ぎ目を軒樋内面側に接続部材を取り付けて施工する場合においては、軒樋の端部同志の間に斜め切れ切断面が露出したものとなるため美観を損なうという問題があった。
【０００３】
上記の問題を解消した発明として、「軒樋が下向き開口状態で載置される支持台と、該支持台に着脱され同軒樋をその外面に沿って当接保持する保持片部材と、を備えた軒樋切断用治具であって、軒樋の両端縁耳部が係合される耳支持部を支持台の両側に配設して、該両耳支持部間に同軒樋が架設状態で支持されるようになし、保持片部材には鋸刃が挿入される切断ラインに沿った位置決めスリットを形成し、該位置決めスリットと対応する位置で同支持台の両耳支持部に鋸刃が挿入される補助スリットを配設形成し、該補助スリットを同耳支持部から下方へ延設して切断後の鋸刃が収容されるようになした軒樋切断用治具。」が提案されている（例えば、特許文献１参照。）。
【０００４】
【特許文献１】特開２００３−１１０９２号公報  （特許請求の範囲、図１〜５）
【発明の開示】
【発明が解決しようとする課題】
【０００５】
しかし、本発明者の検討によれば、上記切断用治具は、電動丸鋸やチェーンソウなどを直接使用することが困難であることや、電動丸鋸やチェーンソウなどを使用するためには、一旦ケガキ線を引いた後に治具を取り外してケガキ線に沿って切断する方法をとることが必要であり、治具の取り付けが若干面倒なこと、スリットを介してのケガキ線が引きにくいこと、ケガキ線を引いた後の治具の取り外しが若干面倒なことなどの問題があった。
【０００６】
本発明の目的は、上記従来の軒樋切断用治具における問題点に鑑み、取り付け取り外しが簡便で、しかも切断用治具をを軒樋にしっかりと取り付けることができて、軒樋の長さ方向に対して斜め切れを防止可能で、軒樋の切断端面をぴったりと突き合わせて美観に優れた施工ができ、更に、電動丸鋸やチェーンソウなどを使用する際にも好適に用いられる軒樋切断治具を提供することを目的とする。
【課題を解決するための手段】
【０００７】
請求項１記載の軒樋切断治具は、軒樋を切断する際に軒樋の外周面に嵌合されて用いられる軒樋切断治具であって、軒樋の外周面に嵌合する本体部があり、この本体部の両上端には軒樋の両耳部を把持する一対の耳把持部が設けられ、少なくとも一方の耳把持部は軒樋の耳部を把持した状態で、この耳部と弾性クリップ具により挟持されることを特徴とする。
【０００８】
また、請求項２記載の軒樋切断治具は、請求項１記載の軒樋切断治具において、上記少なくとも一方の軒樋耳部は上端縁に沿って内外方に突出条が形成され、前記耳把持部にはこの外方への突出条が嵌まり合う凹溝が上端縁に沿って形成されることにより、前記耳把持部上端縁に沿って外方への突出条が形成されており、耳把持部の凹溝に軒樋耳部の外方突出条を嵌め合わせて把持した状態で、前記軒樋耳部の内方突出条と前記耳把持部の外方への突出条とが弾性クリップ具で挟持されるものである。
【０００９】
また、請求項３記載の軒樋切断治具は、請求項１または２記載の軒樋切断治具において、前記本体部の一方の側縁外方に沿って鍔片が形成され、この鍔片の少なくとも一方の端部が耳把持部の軒樋内方まで延長されているものである。
【発明の効果】
【００１０】
本発明の請求項１記載の軒樋切断治具は、軒樋の外周面に嵌合する本体部があり、この本体部の両上端には軒樋の両耳部を把持する一対の耳把持部が設けられ、少なくとも一方の耳把持部は軒樋の耳部を把持した状態で、この耳部と弾性クリップ具により挟持される構造となされているので、この軒樋切断治具を使用して軒樋を切断する際には、本体部を軒樋の外周面に被せ、軒樋の両耳部を治具の耳把持部で把持すれば、切断治具は軒樋の長手方向に対して直角方向にセット装着される。この状態で治具の耳把持部は軒樋の耳部を把持した状態で、耳部と弾性クリップ具により挟持されるので、軒樋切断治具は軒樋にしっかりと保持され、ずれることがない。軒樋切断後、弾性クリップ具を外せば簡単に取り外すことができる。
治具の本体部の少なくとも一方の側縁が軒樋の長手方向に対して直角となされていれば、この側縁に沿って切断すれば、軒樋は容易に長手方向に対して直角に切断できる。
従って、本発明の軒樋切断治具は、取り付け取り外しが簡便で、しかも切断用治具を軒樋にしっかりとずれることなく取り付けることができて、軒樋の長さ方向に対して直角に切断することができ、軒樋の切断端面をぴったりと突き合わせて美観に優れた施工ができる。
更に、治具の側縁に沿って切断するので、電動丸鋸やチェーンソウなどを使用する際にも好適に用いることができる。
【００１１】
また、本発明の請求項２記載の軒樋切断治具は、上記請求項１記載の軒樋切断治具において、少なくとも一方の軒樋耳部は上端縁に沿って内外方に突出条が形成され、前記耳把持部にはこの外方への突出条が嵌まり合う凹溝が上端縁に沿って形成されることにより、前記耳把持部上端縁に沿って外方への突出条が形成されており、耳把持部の凹溝に軒樋耳部の外方突出条を嵌め合わせて把持した状態で、前記軒樋耳部の内方突出条と前記耳把持部の外方への突出条とが弾性クリップ具で挟持されるようになされているので、弾性クリップ具を軒樋の上端縁に沿って内方へ向けて形成された突出条に引っかけてから、治具の耳把持部に沿うように回転させることにより、挟持できるので、弾性力の強いクリップ具を使用でき、両者を容易かつ強固に挟持することができる。
【００１２】
また、本発明の請求項３記載の軒樋切断治具は、上記請求項１または２記載の軒樋切断治具において、前記本体部の一方の側縁外方に沿って鍔片が形成され、この鍔片の少なくとも一方が耳把持部の軒樋内方まで延長されているので、この鍔片を軒樋切断時の案内片とすると、鋸や電動丸鋸、チェーンソウなどを使用する際にも好適に用いることができる。
また、鍔片の少なくとも一方の端部が耳把持部の軒樋内方まで延長されているので、この延長された鍔片を摘んで拡げることにより、治具の取り外しが容易となる。
【発明を実施するための最良の形態】
【００１３】
以下、本発明を実施するための最良の形態を図面に示す実施例に基づいて説明する。
図１は本発明の軒樋切断治具本体部の一例を軒樋に取り付けた状態で示し、（ａ）は正面図、（ｂ）は平面図、（ｃ）は左側面図である。
図で、１は軒樋切断治具、２は軒樋である。軒樋切断具１は軒樋２の外周面に嵌合する内周面を有する本体部１１と、この本体部１１の両上端部に設けられた軒樋１１の耳部を把持する一対の耳把持部１２、１３と、本体部１１の少なくとも一方の側縁外方に沿って形成された鍔片１６と、別に図示する弾性クリップ具１８とからなる。
【００１４】
軒樋２は、断面角形で、剛性を持たせるために底角部２１や両耳部２２、２３に長手方向の中空部が設けられ、一方の耳部２２には上端縁に沿って内方に突出する突出条２４と外方に突出する突出条２５とが形成されている。
【００１５】
この軒樋２の耳部２２の外方への突出条２５を嵌合し、把持するために、軒樋切断治具本体部１１の耳把持部１２には凹溝１４が形成され、この凹溝１４が形成されることにより、耳把持部１２の上端縁に沿って外方への突出条１５が形成されている。
【００１６】
鍔片１６は、鋸や電動丸鋸、チェーンソーなどの切断具のガイド当て面であり、本体部１１の一方の側縁に沿って外方へ折り曲げられた鍔である。この鍔片１６の一方の耳把持部１２は軒樋１の内方まで延長されて、摘み１７が形成されている。
１９は補強用のリブで、本体部１１の側縁に沿って折り曲げられた鍔片１６を補強するためのものである。
【００１７】
上記軒樋切断治具１の本体部１１の内側形状としては、軒樋２の外周面に嵌合する内周面を有していればよい。即ち、軒樋切断治具１を軒樋２の外側に取り付けた際に、ガタツキなく軒樋２の外側に保持可能な形状であれば特に限定されないが、軒樋切断治具本体部１１を軒樋２の外側に取り付けた際に、本体部１１の内面と軒樋２の外面との間の隙間が大きすぎると、本体部１１を軒樋２の外側に保持し難くなり、ガタツキや長さ方向のズレが起り易くなるので、本体部１１の内面と軒樋２の外面との間の隙間は、０．１〜１．２ｍｍであることが好ましい。
【００１８】
弾性クリップ具１８は、ばね弾性を有する所定の金属片が折り曲げられて形成され、内部空間を押し広げた状態で軒樋２の耳部２２と治具１の耳把持部１２とを挟持するものであればよい。例えば、図２に示すように、断面略コの字状の本体１８ａで、一方の開口縁に引っかけ片１８ｂが形成され、もう一方の開口縁に摘み片１８ｃが形成されているものであっても、複数枚の文書を綴じるために使用されるダブルクリップのように、摘み片を摘むことによりクリップを押し広げて挟持するものであってもよい。
【００１９】
そして、本発明の上記軒樋切断治具１を使用して軒樋２を切断するには、軒樋２の切断しようとする位置に、治具１の鍔片１６の端面がくるように軒樋切断治具本体部１１を取り付ける。本体部１１を取り付けるには、一方の耳部に耳把持部１３を把持し、本体部１１を軒樋２の外周面に沿うように被せて行き、耳把持部１２の凹溝１４に軒樋２の耳部２２の外方への突出条２５を嵌合させるように、もう一方の耳部２２に耳把持部１２を把持する。もう一方の耳部２２に耳把持部１２を把持する時には、鍔片１６の摘み１７を摘んで治具１を押し拡げるようにして嵌合させれば容易に取り付けられる。
【００２０】
そして、図２に示す弾性クリップ具１８を使用して、例えば、軒樋切断治具１の本体部１１を嵌合させた軒樋２の一方の耳把持部１２に軒樋の耳部２２を把持した状態で、この耳部２２に弾性クリップ具１８により挟持する。
弾性クリップ１８で挟持するには、図３に示すように、弾性クリップ具１８の一方の開口縁に形成された引っかけ片１８ｂを、軒樋２の耳部内方に形成された突出条２４に引っかけ、他方の開口縁に形成された摘み片１８ｃを摘んでクリップ具１８の本体１８ａを拡げて治具１の突出条１５に沿って滑らしながら、摘み片１８ｃを突出条１５の下側に嵌め込めばよい。
【００２１】
弾性クリップ具１８は、引っかけ片１８ｂが軒樋耳部の突出条２４に引っ掛かり、摘み片１８ｃが本体部１１の突出条１５の下側に引っ掛かることになって、強固に挟持されることになる。また、取り付けに当たっては、摘み片１８ｃを滑らしながら嵌め込むことができるので、強い弾性クリップ具１８であっても容易に取り付けられる。
【００２２】
このようにして取り付けられた軒樋切断治具１は軒樋２に強固に固定されているので、鍔片１６に沿って鋸や電動丸鋸、チェーンソーなどを使用して軒樋２を斜め切れすることなく長手方向に対して直角に切断できる。
軒樋切断治具１を軒樋２に取り付ける時には、軒樋２の開口部を上側にした状態にして作業台に載置して作業するのが取り付け作業をし易いが、切断時には、上下をひっくり返して底面側から切断するのが安定して切り込みを開始できるので好ましい。
軒樋２は何処の位置で切断しても長手方向に対して直角に切断されるので、切断された軒樋を突き合わせれば、ピッタリと付き合わさり、美観を損なうことがない。
【００２３】
軒樋２の切断が終了したら、軒樋切断治具１を取り外すが、弾性クリップ具１８を摘み片１８ｃを押し広げるようにして滑らしながら、取り外すことができ、また、本体部１１も鍔片１６の摘み片１７を引っ張って押し広げるようにして取り外すことができるので、取り外しも容易にできる。
【００２４】
尚、上記実施例において、耳把持部１３側においても軒樋２の耳部２３と耳把持部１３とをダブルクリップで挟持すると、軒樋切断治具本体部１１をより強固に軒樋２に取り付けることができる。
また、上記実施例において、軒樋２の両耳部外面に突出条１５が設けられずに、軒樋２の上端内方にのみ突出する中空の耳部が設けられたものであってもよい。この場合には、軒樋２の両耳部とも治具本体部１１の耳把持部とダブルクリップで挟持すればよい。
【００２５】
更に、本発明においては、例えば、軒樋２に軒樋切断治具１を取り付け、軒樋２の外周面に鍔片１６に沿って一旦ケガキ線を引いた後に、軒樋切断治具１を取り外してケガキ線に沿って切断することも可能であり、特に電動丸鋸やチェーンソウなどを使用する際に好適に用いられる。本発明の軒樋切断治具１においては、ケガキ線を引く場合にも移動することがないので、長手方向に直角なケガキ線を引くことができる。
【図面の簡単な説明】
【００２６】
【図１】本発明の軒樋切断治具本体部の一例を軒樋に取り付けた状態で示し、（ａ）は正面図、（ｂ）は平面図、（ｃ）は左側面図である。
【図２】弾性クリップ具の一例を示し、（ａ）は正面図、（ｂ）は底面図である。
【図３】耳把持部に弾性クリップ具を取り付ける状態の一例を示す部分拡大図であり、（ａ）は取り付ける途中の状態を示す正面図、（ｂ）は取り付けを完了した状態を示す正面図である。
【符号の説明】
【００２７】
１          軒樋切断治具
１１        本体部
１２、１３  耳把持部
１４        凹溝
１５        突出条
１６        鍔片
１７        摘み
１８        弾性クリップ具
２          軒樋
２２、２３  耳部
２４、２５  突出条
【図１】
2005324412.tif 000003
【図２】
2005324412.tif 000004
【図３】
2005324412.tif 000005